(57)【要約】【課題】プロジェクターと投射面との位置関係に応じた画像処理が、外部に出力される画像情報に影響を及ぼすことを抑制可能な技術を提供する。【解決手段】プロジェクターは、第１画像を示す第１画像情報を受け取る受取部と、第２画像を示す第２画像情報を生成する第１生成部と、第１画像情報と第２画像情報とに基づいて、第１画像に第２画像が重畳された第３画像を示す第３画像情報を生成し、第３画像情報と第１画像情報とを出力する第２生成部と、第２生成部が出力した第３画像情報を出力するための出力部と、第２生成部が出力した第１画像情報にプロジェクターと投射面との位置関係に応じた画像処理を施して第４画像情報を生成する第３生成部と、第４画像情報に応じた画像を投射面に投射する投射部と、を含む。【選択図】図２
2019040003.tif 000002
【特許請求の範囲】
【請求項１】
プロジェクターであって、
第１画像を示す第１画像情報を受け取る受取部と、
第２画像を示す第２画像情報を生成する第１生成部と、
前記第１画像情報と前記第２画像情報とに基づいて、前記第１画像に前記第２画像が重畳された第３画像を示す第３画像情報を生成し、前記第３画像情報と前記第１画像情報とを出力する第２生成部と、
前記第２生成部が出力した第３画像情報を出力するための出力部と、
前記第２生成部が出力した第１画像情報に、前記プロジェクターと投射面との位置関係に応じた画像処理を施して、第４画像情報を生成する第３生成部と、
前記第４画像情報に応じた画像を前記投射面に投射する投射部と、
を含むことを特徴とするプロジェクター。
【請求項２】
前記画像処理は、前記第１画像についての幾何学補正を含む
ことを特徴とする請求項１に記載のプロジェクター。
【請求項３】
前記画像処理は、前記第１画像についての台形歪補正を含む
ことを特徴とする請求項１または２に記載のプロジェクター。
【請求項４】
前記画像処理は、前記第１画像についての上下反転処理を含む
ことを特徴とする請求項１から３のいずれか１項に記載のプロジェクター。
【請求項５】
前記画像処理は、前記第１画像についての左右反転処理を含む
ことを特徴とする請求項１から４のいずれか１項に記載のプロジェクター。
【請求項６】
前記第２生成部は、前記第１画像を投射する旨の第１指示を受け取った場合に、前記第１画像情報を前記第３生成部に出力する
ことを特徴とする請求項１から５のいずれか１項に記載のプロジェクター。
【請求項７】
前記第２生成部は、前記第３画像情報を前記出力部に出力する旨の第２指示を受け取った場合に、前記第３画像情報を前記出力部に出力する
ことを特徴とする請求項１から６のいずれか１項に記載のプロジェクター。
【請求項８】
前記第１生成部は、前記プロジェクターを制御する制御装置から前記プロジェクターへ送信される制御情報に基づいて、前記第２画像情報を生成する
ことを特徴とする請求項１から７のいずれか１項に記載のプロジェクター。
【請求項９】
プロジェクターの制御方法であって、
第１画像を示す第１画像情報を受け取り、
第２画像を示す第２画像情報を生成し、
前記第１画像情報と前記第２画像情報とに基づいて、前記第１画像に前記第２画像が重畳された第３画像を示す第３画像情報を生成し、
前記第３画像情報を出力部から出力し、
前記第１画像情報に、前記プロジェクターと投射面との位置関係に応じた画像処理を施して、第４画像情報を生成し、
前記第４画像情報に応じた画像を前記投射面に投射する
ことを特徴とするプロジェクターの制御方法。
【発明の詳細な説明】
【技術分野】
【０００１】
本発明は、プロジェクターおよびプロジェクターの制御方法に関する。
【背景技術】
【０００２】
特許文献１には、画像処理部で画像処理が施された入力画像と第１ＯＳＤ（On Screen Display）画像とを合成した第１合成画像を投射面に投射し、かつ、当該入力画像と第２ＯＳＤ画像とを合成した第２合成画像を示す画像情報を外部のディスプレイ装置に出力するプロジェクターが記載されている。
特許文献１に記載のプロジェクターによれば、第１ＯＳＤ画像と第２ＯＳＤ画像とを互いに異ならせることによって、投射面に投射される画像を、外部のディスプレイ装置に表示される画像と異ならせることが可能になる。
【先行技術文献】
【特許文献】
【０００３】
【特許文献１】特開２０１５−１７６１０１号公報
【発明の概要】
【発明が解決しようとする課題】
【０００４】
ところで、プロジェクターから投射面に投射された画像（投射画像）については、プロジェクターと投射面との位置関係によって、画像情報が示す画像に対して歪みが生じたり、投射画像の向きが、表示させたい画像の向き（投射面の向き）に対して反転したりすることがある。
【０００５】
このような投射画像を補正するためには、特許文献１に記載のプロジェクターの画像処理部において、プロジェクターと投射面との位置関係に応じた画像処理（以下「特定画像処理」とも称する）が実行されることが考えられる。特定画像処理としては、例えば、台形歪補正および表示向きの反転処理が挙げられる。
【０００６】
しかしながら、特許文献１に記載のプロジェクターの画像処理部において、特定画像処理が実行されると、投射画像については適切な補正が実行され得るが、外部の表示装置に表示される画像については、特定画像処理に伴い画質が劣化してしまうおそれがある。
【０００７】
本発明は上述した事情に鑑みてなされたものであり、プロジェクターと投射面との位置関係に応じた画像処理が、外部に出力される画像情報に影響を及ぼすことを抑制可能な技術を提供することを解決課題とする。
【課題を解決するための手段】
【０００８】
本発明に係るプロジェクターの一態様は、プロジェクターであって、第１画像を示す第１画像情報を受け取る受取部と、第２画像を示す第２画像情報を生成する第１生成部と、前記第１画像情報と前記第２画像情報とに基づいて、前記第１画像に前記第２画像が重畳された第３画像を示す第３画像情報を生成し、前記第３画像情報と前記第１画像情報とを出力する第２生成部と、前記第２生成部が出力した第３画像情報を出力するための出力部と、前記第２生成部が出力した第１画像情報に、前記プロジェクターと投射面との位置関係に応じた画像処理を施して、第４画像情報を生成する第３生成部と、前記第４画像情報に応じた画像を前記投射面に投射する投射部と、を含むことを特徴とする。
この態様によれば、プロジェクターと投射面との位置関係に応じた画像処理が第１画像情報に施されて投射用の第４画像情報が生成されるが、出力部から出力される第３画像情報には、当該画像処理は施されない。このため、プロジェクターと投射面との位置関係に応じた画像処理が、外部に出力される第４画像情報に影響を及ぼすことを抑制可能になる。
【０００９】
上述したプロジェクターの一態様において、前記画像処理は、前記第１画像についての幾何学補正を含むことが望ましい。
この態様によれば、例えば、投射画像の歪みを補償するために第１画像について幾何学補正が施されても、第４画像情報に幾何学補正の影響が及ぶことを抑制可能になる。
【００１０】
上述したプロジェクターの一態様において、前記画像処理は、前記第１画像についての台形歪補正を含むことが望ましい。
この態様によれば、例えば、投射画像の歪みを補償するために第１画像について台形歪補正が施されても、第４画像情報に台形歪補正の影響が及ぶことを抑制可能になる。
【００１１】
上述したプロジェクターの一態様において、前記画像処理は、前記第１画像についての上下反転処理を含むことが望ましい。
この態様によれば、例えば、投射画像の表示の向きを補償するために第１画像について上下反転処理が施されても、第４画像情報に上下反転処理の影響が及ぶことを抑制可能になる。
【００１２】
上述したプロジェクターの一態様において、前記画像処理は、前記第１画像についての左右反転処理を含むことが望ましい。
この態様によれば、例えば、投射画像の表示の向きを補償するために第１画像について左右反転処理が施されても、第４画像情報に左右反転処理の影響が及ぶことを抑制可能になる。
【００１３】
上述したプロジェクターの一態様において、前記第２生成部は、前記第１画像を投射する旨の第１指示を受け取った場合に、前記第１画像情報を前記第３生成部に出力することが望ましい。
この態様によれば、例えば、第１指示を用いて、第１画像情報を第３生成部に出力するか否かを制御可能になる。
【００１４】
上述したプロジェクターの一態様において、前記第２生成部は、前記第３画像情報を前記出力部に出力する旨の第２指示を受け取った場合に、前記第３画像情報を前記出力部に出力することが望ましい。
この態様によれば、例えば、第２指示を用いて、第３画像情報を出力部に出力するか否かを制御可能になる。
【００１５】
上述したプロジェクターの一態様において、前記第１生成部は、前記プロジェクターを制御する制御装置から前記プロジェクターへ送信される制御情報に基づいて、前記第２画像情報を生成することが望ましい。
この態様によれば、制御装置から送信される制御情報に基づいて、第２画像を制御することが可能になる。
【００１６】
本発明に係るプロジェクターの制御方法の一態様は、プロジェクターの制御方法であって、第１画像を示す第１画像情報を受け取り、第２画像を示す第２画像情報を生成し、前記第１画像情報と前記第２画像情報とに基づいて、前記第１画像に前記第２画像が重畳された第３画像を示す第３画像情報を生成し、前記第３画像情報を出力部から出力し、前記第１画像情報に、前記プロジェクターと投射面との位置関係に応じた画像処理を施して、第４画像情報を生成し、前記第４画像情報に応じた画像を前記投射面に投射することを特徴とする。
この態様によれば、プロジェクターと投射面との位置関係に応じた画像処理が第１画像情報に施されて投射用の第４画像情報が生成されるが、出力部から出力される第３画像情報には、当該画像処理は施されない。このため、プロジェクターと投射面との位置関係に応じた画像処理が、外部に出力される第４画像情報に影響を及ぼすことを抑制可能になる。
【図面の簡単な説明】
【００１７】
【図１】第１実施形態に係るプロジェクター１００を示した図である。
【図２】プロジェクター１００の一例を示した図である。
【図３】画像Ｇ１の一例を示した図である。
【図４】ＯＳＤ画像Ｇ２の一例を示した図である。
【図５】合成画像Ｇ３の一例を示した図である。
【図６】投射部６の一例を示した図である。
【図７】プロジェクター１００の動作を説明するためのフローチャートである。
【図８】プロジェクター１００の変形例を示した図である。
【発明を実施するための形態】
【００１８】
以下、図面を参照しながら本発明に係る実施の形態を説明する。なお、図面において各部の寸法および縮尺は実際のものと適宜異なる。また、以下に記載する実施の形態は、本発明の好適な具体例である。このため、本実施形態には、技術的に好ましい種々の限定が付されている。しかしながら、本発明の範囲は、以下の説明において特に本発明を限定する旨の記載がない限り、これらの形態に限られるものではない。
【００１９】
＜第１実施形態＞
図１は、第１実施形態に係るプロジェクター１００を示した図である。
プロジェクター１００は、ＰＣ（パーソナルコンピューター）２００および表示装置３００と接続されている。ＰＣ２００は、画像Ｇ１を示す画像情報Ｇ１ａをプロジェクター１００に提供する。ＰＣ２００は、画像情報供給装置の一例である。表示装置３００は、プロジェクター１００の操作者によって利用される直視型のディスプレイ装置である。
【００２０】
プロジェクター１００は、画像Ｇ１の上にＯＳＤ画像を重畳できる。本実施形態では、ＯＳＤ画像として、プロジェクター１００の設定（例えば、投射画像の明るさの設定）を調整するための画像が用いられる。
【００２１】
プロジェクター１００は、投射画像をスクリーン等の投射面ＳＣに投射する。投射面ＳＣは、例えばイベント会場に設置され、イベントの観客は、投射面ＳＣ上に投射された画像を観賞する。ＯＳＤ画像は、イベントの観客にとって必要性が低いことが多い。本実施形態では、プロジェクター１００は、ＯＳＤ画像が重畳されていない画像Ｇ１を投射面ＳＣに投射することができる。
【００２２】
また、プロジェクター１００は、画像Ｇ１上にＯＳＤ画像が重畳された合成画像Ｇ３を、表示装置３００に表示可能である。このため、プロジェクター１００の操作者は、合成画像Ｇ３におけるＯＳＤ画像を用いて、プロジェクター１００の設定を調整できる。
【００２３】
さらに、プロジェクター１００は、投射面ＳＣに投射される画像Ｇ１については、プロジェクター１００と投射面ＳＣとの位置関係に応じた画像処理（以下「特定画像処理」とも称する）を行う。一方、表示装置３００に表示される合成画像Ｇ３については、プロジェクター１００は、特定画像処理を行わない。特定画像処理の一例としては、台形歪補正が挙げられる。台形歪補正は、幾何学補正の一例でもある。
【００２４】
図２は、プロジェクター１００の一例を示した図である。プロジェクター１００は、受取部１と、操作部２と、出力端子３と、記憶部４と、処理部５と、投射部６と、を含む。
【００２５】
受取部１は、例えば、画像情報の入力端子である。受取部１は、無線通信で画像情報を受け取ってもよい。受取部１は、ＰＣ２００から画像情報Ｇ１ａを受け取る。
図３は、画像情報Ｇ１ａが示す画像Ｇ１の一例を示した図である。画像Ｇ１は、第１画像の一例である。画像情報Ｇ１ａは、第１画像情報の一例である。
【００２６】
操作部２は、プロジェクター１００への入力を受け取るための各種操作キーを備える。操作部２は、操作キーへの操作（操作入力）に応じて、特定画像処理に関する設定情報と、第１指示と、第２指示と、第３指示と、第４指示と、を受け取る。第１指示は、画像Ｇ１を投射する旨の指示である。第２指示は、合成画像Ｇ３を示す合成画像情報Ｇ３ａを出力端子３に出力する旨の指示である。第３指示は、合成画像Ｇ３を投射する旨の指示である。第４指示は、画像情報Ｇ１ａを出力端子３に出力する旨の指示である。
また、操作部２は、操作キーへの操作（操作入力）に応じて、後述するＯＳＤ画像情報Ｇ２ａを生成する旨の生成指示と、表示装置３００に表示されたＯＳＤ画像を用いて投射画像の明るさを調整する旨の調整指示（投射画像を明るくする指示、および、投射画像を暗くする指示）と、を受け取る。
【００２７】
出力端子３は、出力部の一例である。出力端子３は、画像情報を出力するために使用される。本実施形態では、出力端子３は、ケーブル（不図示）等を介して、表示装置３００に接続されている。
【００２８】
記憶部４は、コンピューター読み取り可能な記録媒体である。記憶部４は、例えば、フラッシュメモリーである。記憶部４は、フラッシュメモリーに限らず、適宜変更可能である。記憶部４は、例えば、処理部５が実行するプログラムを記憶する。
【００２９】
処理部５は、例えば、ＣＰＵ（Central Processing Unit）等のコンピューターである。処理部５は、１または複数のプロセッサーで構成されてもよい。処理部５は、記憶部４に記憶されたプログラムを読み取り実行することによって、制御部５１と、第１画像処理部５２と、ＯＳＤ処理部５３と、合成部５４と、第２画像処理部５５とを実現する。
【００３０】
制御部５１は、第１画像処理部５２と、ＯＳＤ処理部５３と、合成部５４と、第２画像処理部５５とを制御する。
例えば、制御部５１は、操作部２が受け取った生成指示をＯＳＤ処理部５３に出力して、ＯＳＤ処理部５３を制御する。制御部５１は、操作部２が受け取った調整指示を第１画像処理部５２およびＯＳＤ処理部５３に出力して、第１画像処理部５２およびＯＳＤ処理部５３を制御する。制御部５１は、操作部２が受け取った第１指示、第２指示、第３指示および第４指示を合成部５４に出力して、合成部５４を制御する。制御部５１は、操作部２が受け取った設定情報に基づいて、第２画像処理部５５での特定画像処理を制御する。
【００３１】
第１画像処理部５２は、画像情報Ｇ１ａに対して解像度変換処理を施す。また、第１画像処理部５２は、調整指示に応じて、画像Ｇ１の明るさを調整するための明るさ調整処理を画像情報Ｇ１ａに施す。以下では、説明の簡略化を図るため、解像度変換処理および明るさ調整処理が施された後の画像情報Ｇ１ａについても「画像情報Ｇ１ａ」と称する。
【００３２】
ＯＳＤ処理部５３は、第１生成部の一例である。ＯＳＤ処理部５３は、操作部２が受け取った生成指示に応じて、ＯＳＤ画像Ｇ２を示すＯＳＤ画像情報Ｇ２ａを生成する。ＯＳＤ画像Ｇ２は、第２画像の一例である。ＯＳＤ画像情報Ｇ２ａは、第２画像情報の一例である。
図４は、ＯＳＤ画像情報Ｇ２ａが示すＯＳＤ画像Ｇ２の一例を示した図である。図４に示したＯＳＤ画像Ｇ２は、投射画像の明るさを調整するための設定画像である。
【００３３】
合成部５４は、第２生成部の一例である。合成部５４は、画像情報Ｇ１ａとＯＳＤ画像情報Ｇ２ａとに基づいて、合成画像Ｇ３を示す合成画像情報Ｇ３ａを生成する。合成画像Ｇ３は、第３画像の一例である。合成画像情報Ｇａ３は、第３画像情報の一例である。合成部５４は、例えば、合成画像情報Ｇ３ａと画像情報Ｇ１ａとを出力する。図５は、合成画像情報Ｇａ３が示す合成画像Ｇ３の一例を示した図である。
【００３４】
合成部５４は、第１合成部５４ａと第２合成部５４ｂとを含む。
第１合成部５４ａは、第１指示を受け取った場合、画像情報Ｇ１ａを第２画像処理部５５に出力する。第１合成部５４ａは、第３指示を受け取った場合、画像情報Ｇ１ａとＯＳＤ画像情報Ｇ２ａとに基づいて合成画像情報Ｇ３ａを生成し、生成した合成画像情報Ｇ３ａを第２画像処理部５５に出力する。
第２合成部５４ｂは、第２指示を受け取った場合、画像情報Ｇ１ａとＯＳＤ画像情報Ｇ２ａとに基づいて合成画像情報Ｇ３ａを生成し、生成した合成画像情報Ｇ３ａを出力端子３に出力する。第２合成部５４ｂは、第４指示を受け取った場合、画像情報Ｇ１ａを出力端子３に出力する。
【００３５】
第２画像処理部５５は、第３生成部の一例である。第２画像処理部５５は、第１合成部５４ａが出力する画像情報（画像情報Ｇａ１または合成画像情報Ｇ３ａ）に特定画像処理を施して投射用画像情報を生成する。投射用画像情報は、第４画像情報の一例である。
本実施形態では、第２画像処理部５５は、特定画像処理として、プロジェクター１００の投射画像の台形歪を補正する処理、すなわち、台形歪補正を実行する。
【００３６】
投射部６は、第２画像処理部５５が出力した投射用画像情報に応じた投射画像を投射面ＳＣに投射して表示する。
【００３７】
図６は、投射部６の一例を示した図である。投射部６は、光源６１と、光変調装置の一例である３つの液晶ライトバルブ６２（６２Ｒ，６２Ｇ，６２Ｂ）と、投射光学系の一例である投射レンズ６３と、ライトバルブ駆動部６４等を含む。投射部６は、光源６１から射出された光を液晶ライトバルブ６２で変調して投射画像（画像光）を形成し、この投射画像を投射レンズ６３から拡大投射する。投射画像は、投射面ＳＣに表示される。
【００３８】
光源６１は、キセノンランプ、超高圧水銀ランプ、ＬＥＤ（Light Emitting Diode）、またはレーザー光源等からなる光源部６１ａと、光源部６１ａが放射した光の方向のばらつきを低減するリフレクター６１ｂとを含む。光源６１から射出された光は、不図示のインテグレーター光学系によって輝度分布のばらつきが低減され、その後、不図示の色分離光学系によって光の３原色である赤色（Ｒ）、緑色（Ｇ）、青色（Ｂ）の色光成分に分離される。Ｒ，Ｇ，Ｂの色光成分は、それぞれ液晶ライトバルブ６２Ｒ，６２Ｇ，６２Ｂに入射する。
【００３９】
液晶ライトバルブ６２は、一対の透明基板間に液晶が封入された液晶パネル等によって構成される。液晶ライトバルブ６２には、マトリクス状に配列された複数の画素６２ｐからなる矩形の画素領域６２ａが形成されている。液晶ライトバルブ６２では、液晶に対して画素６２ｐごとに駆動電圧を印加することが可能である。ライトバルブ駆動部６４が、第２画像処理部５５から入力される投射用画像情報に応じた駆動電圧を各画素６２ｐに印加すると、各画素６２ｐは、投射用画像情報に応じた光透過率に設定される。このため、光源６１から射出された光は、画素領域６２ａを透過することで変調され、投射用画像情報に応じた投射画像が色光ごとに形成される。
【００４０】
各色の画像は、図示しない色合成光学系によって画素６２ｐごとに合成され、カラー画像光（カラー画像）である投射画像光（投射画像）が生成される。投射画像光は、投射レンズ６３によって投射面ＳＣに拡大投射される。
【００４１】
次に、動作を説明する。
図７は、プロジェクター１００の動作を説明するためのフローチャートである。以下では、第１指示と第３指示とが択一に操作部２に入力され、かつ、第２指示と第４指示とが択一に操作部２に入力されるとする。また、操作部２には、特定画像処理に関する設定情報（例えば、台形歪補正処理の処理内容を決定するパラメーター）と、生成指示が入力され、第２画像処理部５５では、この設定情報に基づく処理内容（台形歪補正）が確定しているとする。
【００４２】
まず、第１画像処理部５２は、受取部１が受け取った画像情報Ｇ１ａに対して解像度変換処理を施す（ステップＳ１）。第１画像処理部５２は、解像度変換処理が施された画像情報Ｇ１ａを合成部５４に出力する。また、ＯＳＤ処理部５３は、操作部２が受け取った生成指示に応じて、ＯＳＤ画像情報Ｇ２ａを生成する（ステップＳ２）。
【００４３】
続いて、第１合成部５４ａは、第１指示を受け取った場合（ステップＳ３：ＹＥＳ）、第１画像処理部５２から受け取った画像情報Ｇ１ａを、第２画像処理部５５に出力する。第２画像処理部５５は、画像情報Ｇ１ａに対して特定画像処理（台形歪補正）を施して投射用第１画像情報を生成する（ステップＳ４）。投射用第１画像情報は、投射用画像情報の一例である。続いて、投射部６は、投射用第１画像情報に応じた投射用第１画像（具体的には、画像Ｇ１）を投射面ＳＣに投射する（ステップＳ５）。
【００４４】
一方、第１合成部５４ａが第３指示を受け取った場合（ステップＳ３：ＮＯ）、第１合成部５４ａは、第１画像処理部５２から受け取った画像情報Ｇ１ａと、ＯＳＤ処理部５３が生成したＯＳＤ画像情報Ｇ２ａとを用いて、合成画像情報Ｇ３ａを生成する（ステップＳ６）。続いて、第１合成部５４ａは、合成画像情報Ｇ３ａを第２画像処理部５５に出力する。第２画像処理部５５は、合成画像情報Ｇ３ａに対して特定画像処理を施して投射用第２画像情報を生成する（ステップＳ７）。投射用第２画像情報は、投射用画像情報の他の例である。続いて、投射部６は、投射用第２画像情報に応じた投射用第２画像（具体的には、合成画像Ｇ３）を投射する（ステップＳ８）。
【００４５】
また、第２合成部５４ｂは、第２指示を受け取った場合（ステップＳ９：ＹＥＳ）、第１画像処理部５２から受け取った画像情報Ｇ１ａと、ＯＳＤ処理部５３が生成したＯＳＤ画像情報Ｇ２ａとを用いて、合成画像情報Ｇ３ａを生成する（ステップＳ１０）。続いて、第２合成部５４ｂは、合成画像情報Ｇ３ａを出力端子３に出力する。合成画像情報Ｇ３ａは、出力端子３から表示装置３００に出力される（ステップＳ１１）。表示装置３００は、合成画像情報Ｇ３ａに応じた合成画像Ｇ３を表示する。
【００４６】
一方、第２合成部５４ｂが第４指示を受け取った場合（ステップＳ９：ＮＯ）、第２合成部５４ｂは、第１画像処理部５２から受け取った画像情報Ｇ１ａを出力端子３に出力する。画像情報Ｇ１ａは、出力端子３から表示装置３００に出力される（ステップＳ１２）。表示装置３００は、画像情報Ｇ１ａに応じた画像Ｇ１を表示する。
【００４７】
表示装置３００が合成画像Ｇ３を表示している状況で、プロジェクター１００の操作者が、操作部２に調整指示を入力すると、制御部５１は、操作部２が受け取った調整指示を第１画像処理部５２およびＯＳＤ処理部５３に出力する。
第１画像処理部５２は、調整指示に従って画像Ｇ１の明るさを調整する。ＯＳＤ処理部５３は、調整指示に従ってＯＳＤ画像Ｇ２の明るさを調整する。ＯＳＤ処理部５３は、さらに、ＯＳＤ画像Ｇ２の明るさ調整に応じてＯＳＤ画像情報Ｇ２ａを変更して、ＯＳＤ画像Ｇ２でのボタンＧ２１の位置を変更する。
【００４８】
本実施形態のプロジェクター１００およびプロジェクター１００の制御方法によれば、例えば、第１指示と第２指示とが入力された場合、プロジェクター１００と投射面ＳＣとの位置関係に応じた特定画像処理が画像情報Ｇ１ａに施されて投射用第１画像情報が生成されるが、出力端子３から出力される合成画像情報Ｇ３ａには、特定画像処理は施されない。このため、特定画像処理が、外部に出力される合成画像情報Ｇ３ａに影響を及ぼすことを抑制可能になる。
【００４９】
また、投射面ＳＣにＯＳＤ画像Ｇ２を表示するか否かを第１指示と第３指示とを用いて切り換えられ、表示装置３００にＯＳＤ画像Ｇ２を表示するか否かを第２指示と第４指示とを用いて切り換えられる。このため、ＯＳＤ画像Ｇ２の表示のオンとオフを容易に切り換えることが可能になる。
【００５０】
＜変形例＞
本発明は、上述した実施形態に限定されるものではなく、例えば、次に述べるような各種の変形が可能である。また、次に述べる変形の態様の中から任意に選択された一または複数の変形を適宜組み合わせることもできる。
【００５１】
＜変形例１＞
図７のフローチャートに示した処理の順番は適宜変更可能である。例えば、ステップＳ２〜Ｓ８の前に、ステップＳ９〜Ｓ１２が実行されてもよい。
【００５２】
＜変形例２＞
上述した実施形態では、合成部５４から第２画像処理部５５に出力される画像情報が、第１指示と第３指示によって画像情報Ｇ１ａと合成画像情報Ｇ３ａとに切り換え可能であった。しかしながら、合成部５４から第２画像処理部５５に出力される画像情報が、画像情報Ｇ１ａに固定されてもよい。
【００５３】
＜変形例３＞
上述した実施形態では、合成部５４から出力端子３に出力される画像情報が、第２指示と第４指示によって画像情報Ｇ１ａと合成画像情報Ｇ３ａとに切り換え可能であった。しかしながら、合成部５４から出力端子３に出力される画像情報が、合成画像情報Ｇ３ａに固定されてもよい。
【００５４】
＜変形例４＞
上述した実施形態では、出力端子３が出力部として用いられた。しかしながら、出力部は出力端子３に限らず適宜変更可能である。例えば、出力部として、画像情報を表示装置３００等に無線送信する通信部が用いられてもよい。
【００５５】
＜変形例５＞
上述した実施形態では、特定画像処理（プロジェクター１００と投射面ＳＣとの位置関係に応じた画像処理）として、幾何学補正の一例である台形歪補正が用いられた。
しかしながら、特定画像処理は、台形歪補正、さらに言えば、幾何学補正を少なくとも含む処理でもよい。
また、例えば、投射面ＳＣの上下関係が投射画像の上下関係と逆である場合、特定画像処理は、投射画像についての上下反転処理（投射画像の上下関係を反転させる処理）を含んでもよい。
また、例えば、投射面ＳＣの左右の関係が投射画像の左右の関係と逆である場合、特定画像処理は、投射画像についての左右反転処理（投射画像の左右関係を反転させる処理）を含んでもよい。
【００５６】
＜変形例６＞
ＯＳＤ処理部５３は、例えば、プロジェクター１００のリモコン（リモートコントローラー）から送信された制御情報に基づいて、ＯＳＤ画像情報Ｇ２ａを生成してもよい。
図８は、ＯＳＤ処理部５３がリモコン４００から送信された制御情報に基づいてＯＳＤ画像情報Ｇ２ａを生成するプロジェクターの例を示した図である。
リモコン４００は、制御装置の一例である。リモコン４００は、プロジェクター１００の操作者によって操作される。リモコン４００は、例えば、生成指示と調整指示とをプロジェクター１００に送信する。生成指示と調整指示の各々は、制御情報の一例である。
受信部７は、リモコン４００が送信した生成指示および調整指示を受信する。
制御部５１は、受信部７が生成指示を受信すると、ＯＳＤ処理部５３に生成指示を出力する。ＯＳＤ処理部５３は、生成指示に応じて、ＯＳＤ画像情報Ｇ２ａを生成する。
また、制御部５１は、受信部７が調整指示を受信すると、調整指示を第１画像処理部５２とＯＳＤ処理部５３とに出力する。第１画像処理部５２は、調整指示に従って画像Ｇ１の明るさを調整する。ＯＳＤ処理部５３は、調整指示に従ってＯＳＤ画像Ｇ２の明るさを調整する。ＯＳＤ処理部５３は、さらに、ＯＳＤ画像Ｇ２の明るさ調整に応じてＯＳＤ画像情報Ｇ２ａを変更して、換言すると、ＯＳＤ画像Ｇ２の明るさ調整に応じたＯＳＤ画像情報Ｇ２ａを生成して、ＯＳＤ画像Ｇ２でのボタンＧ２１の位置を変更する。
【００５７】
＜変形例７＞
投射面ＳＣの設置場所は、イベント会場に限らず適宜変更可能である。例えば、投射面ＳＣは、会議室に設置されてもよい。また、投射面ＳＣは、会議室の壁でもよいし、建物の外壁でもよいし、投射画像が投射される商品でもよい。
【００５８】
＜変形例８＞
ＯＳＤ画像Ｇ２は、投射画像の明るさの設定を調整するための画像に限らず、適宜変更可能である。例えば、ＯＳＤ画像Ｇ２は、投射画像の色合いを調整するための画像でもよく、また、プロジェクターの操作者に対して所定操作を促す画像でもよい。すなわち、ＯＳＤ画像Ｇ２は、プロジェクター１００の設定を調整するための画像でもよいし、プロジェクター１００の設定を調整するための画像でなくてもよい。
【００５９】
＜変形例９＞
投射部６では、光変調装置として液晶ライトバルブが用いられたが、光変調装置は液晶ライトバルブに限らず適宜変更可能である。例えば、光変調装置は、３枚の反射型の液晶パネルを用いた構成であってもよい。また、光変調装置は、１枚の液晶パネルを用いた方式、３枚のデジタルミラーデバイス（ＤＭＤ）を用いた方式、１枚のデジタルミラーデバイスを用いた方式等の構成であってもよい。光変調装置として１枚のみの液晶パネルまたはＤＭＤが用いられる場合には、色分離光学系や色合成光学系に相当する部材は不要である。また、液晶パネルおよびＤＭＤ以外にも、光源が発した光を変調可能な構成は、光変調装置として採用できる。
【００６０】
＜変形例１０＞
処理部５がプログラムを実行することによって実現される要素の全部または一部は、例えばＦＰＧＡ（field programmable gate array）またはＡＳＩＣ（Application Specific IC）等の電子回路によりハードウェアで実現されてもよいし、ソフトウェアとハードウェアとの協働により実現されてもよい。
【符号の説明】
【００６１】
１…受取部、２…操作部、３…出力端子、４…記憶部、５…処理部、５１…制御部、５２…第１画像処理部、５３…ＯＳＤ処理部、５４…合成部、５４ａ…第１合成部、５４ｂ…第２合成部、５５…第２画像処理部、６…投射部、７…受信部、４００…リモコン。
【図１】
2019040003.tif 000003
【図２】
2019040003.tif 000004
【図３】
2019040003.tif 000005
【図４】
2019040003.tif 000006
【図５】
2019040003.tif 000007
【図６】
2019040003.tif 000008
【図７】
2019040003.tif 000009
【図８】
2019040003.tif 000010